(57)【特許請求の範囲】
【請求項１】
互いに間隔をあける一対の直線部と、互いに間隔をあけかつ前記一対の直線部を互いに連ねる一対の円弧部と、を有しかつこれらの一対の直線部と一対の円弧部とで囲まれる空間内にワイヤハーネスを通すとともに、
車両の車体を構成するパネルに設けられた孔に嵌合するとともに前記空間と連なる筒状に形成された嵌合部を備えたグロメットにおいて、
前記一対の直線部と前記一対の円弧部の外縁部の全周に亘って設けられ、かつ、前記嵌合部が前記孔に嵌合すると前記パネルと接触して該パネルとの間を液密に保つリップと、
前記一対の直線部それぞれから外方向に突出した突出部と、を備え、
前記突出部は、前記一対の円弧部が互いに間隔をあける方向に沿って前記一対の直線部それぞれの中央に設けられ、かつ前記円弧部に近づくのにしたがって前記直線部からの突出量が徐々に減少して、前記嵌合部が前記孔に嵌合すると前記直線部が窪むことを許容して外縁が直線状となることを特徴とするグロメット。
【請求項２】
互いに間隔をあける一対の第１直線部と、互いに間隔をあけかつ前記一対の第１直線部を互いに連ねる一対の第２直線部と、を有しかつこれらの一対の第１直線部と一対の第２直線部とで囲まれる空間内にワイヤハーネスを通すとともに、
車両の車体を構成するパネルに設けられた孔に嵌合するとともに前記空間と連なる筒状に形成された嵌合部を備えたグロメットにおいて、
前記一対の第１直線部と前記一対の第２直線部の外縁部の全周に亘って設けられ、かつ、前記嵌合部が前記孔に嵌合すると前記パネルと接触して該パネルとの間を液密に保つリップと、
前記一対の第１直線部それぞれから外方向に突出した第１突出部と、を備え、
前記第１突出部は、前記一対の第２直線部が互いに間隔をあける方向に沿って前記一対の第１直線部それぞれの中央に設けられ、かつ前記第２直線部に近づくのにしたがって前記第１直線部からの突出量が徐々に減少して、前記嵌合部が前記孔に嵌合すると前記第１直線部が窪むことを許容して外縁が直線状となることを特徴とする記載のグロメット。
【請求項３】
互いに間隔をあける一対の第１直線部と、互いに間隔をあけかつ前記一対の第１直線部を互いに連ねる一対の第２直線部と、を有しかつこれらの一対の第１直線部と一対の第２直線部とで囲まれる空間内にワイヤハーネスを通すとともに、
車両の車体を構成するパネルに設けられた孔に嵌合するとともに前記空間と連なる筒状に形成された嵌合部を備えたグロメットにおいて、
前記一対の第１直線部と前記一対の第２直線部の外縁部の全周に亘って設けられ、かつ、前記嵌合部が前記孔に嵌合すると前記パネルと接触して該パネルとの間を液密に保つリップと、
前記一対の第２直線部それぞれから外方向に突出した第２突出部と、を備え、
前記第２突出部は、前記一対の第１直線部が互いに間隔をあける方向に沿って前記一対の第２直線部それぞれの中央に設けられ、かつ前記第１直線部に近づくのにしたがって前記第２直線部からの突出量が徐々に減少して、前記嵌合部が前記孔に嵌合すると前記第２直線部が窪むことを許容して外縁が直線状となることを特徴とするグロメット。
【請求項４】
互いに間隔をあける一対の第１直線部と、互いに間隔をあけかつ前記一対の第１直線部を互いに連ねる一対の第２直線部と、を有しかつこれらの一対の第１直線部と一対の第２直線部とで囲まれる空間内にワイヤハーネスを通すとともに、
車両の車体を構成するパネルに設けられた孔に嵌合するとともに前記空間と連なる筒状に形成された嵌合部を備えたグロメットにおいて、
前記一対の第１直線部と前記一対の第２直線部の外縁部の全周に亘って設けられ、かつ、前記嵌合部が前記孔に嵌合すると前記パネルと接触して該パネルとの間を液密に保つリップと、
前記一対の第１直線部それぞれから外方向に突出した第１突出部と、
前記一対の第２直線部それぞれから外方向に突出した第２突出部と、を備え、
前記第１突出部は、前記一対の第２直線部が互いに間隔をあける方向に沿って前記一対の第１直線部それぞれの中央に設けられ、かつ前記第２直線部に近づくのにしたがって前記第１直線部からの突出量が徐々に減少して、前記嵌合部が前記孔に嵌合すると前記第１直線部が窪むことを許容して外縁が直線状となるとともに、
前記第２突出部は、前記一対の第１直線部が互いに間隔をあける方向に沿って前記一対の第２直線部それぞれの中央に設けられ、かつ前記第１直線部に近づくのにしたがって前記第２直線部からの突出量が徐々に減少して、前記嵌合部が前記孔に嵌合すると前記第２直線部が窪むことを許容して外縁が直線状となることを特徴とするグロメット。
【発明の詳細な説明】
【０００１】
【発明の属する技術分野】
本発明は、車両としての自動車などの車体を構成するパネルに取り付けられかつ内側にワイヤハーネスを通すグロメットに関する。
【０００２】
【従来の技術】
車両としての自動車などの車体を構成するパネル１０２（図１１及び図１２に示す）に設けられた孔１０３（図１２に示す）の内側にワイヤハーネスを通し、かつ前記ワイヤハーネスに水などの水分が付着することを防止するために、例えば、図９ないし図１２に示したグロメット１０１を用いる。なお、図１２に示した場合では、前記孔１０３は、平面形状がほぼ小判状の長孔形状に形成されている。
【０００３】
図９ないし図１２に例示されたグロメット１０１は、筒状に形成されているとともに、前記パネル１０２に取り付けられかつ内側に前述したワイヤハーネスを通す。この種のグロメット１０１には、前記孔１０３への嵌合が容易であるとともに、確実なシール性能を備えることが品質上求められている。
【０００４】
図９ないし図１２に例示されたグロメット１０１は、筒状に形成されたグロメット本体１０４と、嵌合部１０５と、フランジ部１０６と、リップ１０７と、を備えている。嵌合部１０５は、グロメット本体１０４の端に設けられており、前記孔１０３に嵌合する。フランジ部１０６は、前記嵌合部１０５が設けられたグロメット本体１０４の端部に設けられている。
【０００５】
フランジ部１０６は、前記グロメット本体１０４から該グロメット本体１０４即ちグロメット１０１の外周方向に突出している。フランジ部１０６は、グロメット本体１０４の全周に亘って設けられている。フランジ部１０６は、互いに間隔をあける一対の直線部１０８と、互いに間隔をあけかつ前記一対の直線部１０８を互いに連ねる一対の円弧部１０９と、を備えている。
【０００６】
リップ１０７は、前記フランジ部１０６の外縁部に、該フランジ部１０６の全周に亘って設けられている。リップ１０７は、嵌合部１０５が孔１０３に嵌合すると、図１２に示すように、前記パネル１０２に接触する。リップ１０７は、前記パネル１０２との間を液密に保って、該パネル１０２との間からグロメット本体１０４内に水などの液体が侵入することを防止する。
【０００７】
【発明が解決しようとする課題】
前記グロメット１０１は、防水性を確保するために、弾性変形自在なゴムなどから成形される。このため、グロメット１０１は、特に嵌合部１０５が前記孔１０３より若干大きく形成される。
【０００８】
このため、図１２に示すように嵌合部１０５が孔１０３に嵌合してパネル１０２に取り付けられると、図１１に示すように、一対の直線部１０８それぞれの中央部がグロメット本体１０４の内側に変位するように、フランジ部１０６が撓むことがある。このように、従来のグロメット１０１は、直線部１０８が撓むなどの美観を損なうおそれがあった。そして、リップ１０７はパネル１０２に密接して、該パネル１０２との間を液密に保っていても、前記自動車などの使用者などに、グロメット１０１のシール性に疑問を与えることが考えられる。
【０００９】
したがって、本発明の目的は、車両の車体に取り付けられた場合に、美観を損なうことを防止できるグロメットを提供することにある。
【００１０】
【課題を解決するための手段】
前記課題を解決し目的を達成するために、請求項１に記載の本発明のグロメットは、互いに間隔をあける一対の直線部と、互いに間隔をあけかつ前記一対の直線部を互いに連ねる一対の円弧部と、を有しかつこれらの一対の直線部と一対の円弧部とで囲まれる空間内にワイヤハーネスを通すとともに、車両の車体を構成するパネルに設けられた孔に嵌合するとともに前記空間と連なる筒状に形成された嵌合部を備えたグロメットにおいて、前記一対の直線部と前記一対の円弧部の外縁部の全周に亘って設けられ、かつ、前記嵌合部が前記孔に嵌合すると前記パネルと接触して該パネルとの間を液密に保つリップと、前記一対の直線部それぞれから外方向に突出した突出部と、を備え、前記突出部は、前記一対の円弧部が互いに間隔をあける方向に沿って前記一対の直線部それぞれの中央に設けられ、かつ前記円弧部に近づくのにしたがって前記直線部からの突出量が徐々に減少して、前記嵌合部が前記孔に嵌合すると前記直線部が窪むことを許容して外縁が直線状となることを特徴としている。
【００１２】
請求項２に記載の本発明のグロメットは、互いに間隔をあける一対の第１直線部と、互いに間隔をあけかつ前記一対の第１直線部を互いに連ねる一対の第２直線部と、を有しかつこれらの一対の第１直線部と一対の第２直線部とで囲まれる空間内にワイヤハーネスを通すとともに、車両の車体を構成するパネルに設けられた孔に嵌合するとともに前記空間と連なる筒状に形成された嵌合部を備えたグロメットにおいて、前記一対の第１直線部と前記一対の第２直線部の外縁部の全周に亘って設けられ、かつ、前記嵌合部が前記孔に嵌合すると前記パネルと接触して該パネルとの間を液密に保つリップと、前記一対の第１直線部それぞれから外方向に突出した第１突出部と、を備え、前記第１突出部は、前記一対の第２直線部が互いに間隔をあける方向に沿って前記一対の第１直線部それぞれの中央に設けられ、かつ前記第２直線部に近づくのにしたがって前記第１直線部からの突出量が徐々に減少して、前記嵌合部が前記孔に嵌合すると前記第１直線部が窪むことを許容して外縁が直線状となることを特徴としている。
【００１４】
請求項３に記載の本発明のグロメットは、互いに間隔をあける一対の第１直線部と、互いに間隔をあけかつ前記一対の第１直線部を互いに連ねる一対の第２直線部と、を有しかつこれらの一対の第１直線部と一対の第２直線部とで囲まれる空間内にワイヤハーネスを通すとともに、車両の車体を構成するパネルに設けられた孔に嵌合するとともに前記空間と連なる筒状に形成された嵌合部を備えたグロメットにおいて、前記一対の第１直線部と前記一対の第２直線部の外縁部の全周に亘って設けられ、かつ、前記嵌合部が前記孔に嵌合すると前記パネルと接触して該パネルとの間を液密に保つリップと、前記一対の第２直線部それぞれから外方向に突出した第２突出部と、を備え、前記第２突出部は、前記一対の第１直線部が互いに間隔をあける方向に沿って前記一対の第２直線部それぞれの中央に設けられ、かつ前記第１直線部に近づくのにしたがって前記第２直線部からの突出量が徐々に減少して、前記嵌合部が前記孔に嵌合すると前記第２直線部が窪むことを許容して外縁が直線状となることを特徴としている。
【００１６】
請求項４に記載の本発明のグロメットは、互いに間隔をあける一対の第１直線部と、互いに間隔をあけかつ前記一対の第１直線部を互いに連ねる一対の第２直線部と、を有しかつこれらの一対の第１直線部と一対の第２直線部とで囲まれる空間内にワイヤハーネスを通すとともに、車両の車体を構成するパネルに設けられた孔に嵌合するとともに前記空間と連なる筒状に形成された嵌合部を備えたグロメットにおいて、前記一対の第１直線部と前記一対の第２直線部の外縁部の全周に亘って設けられ、かつ、前記嵌合部が前記孔に嵌合すると前記パネルと接触して該パネルとの間を液密に保つリップと、前記一対の第１直線部それぞれから外方向に突出した第１突出部と、前記一対の第２直線部それぞれから外方向に突出した第２突出部と、を備え、前記第１突出部は、前記一対の第２直線部が互いに間隔をあける方向に沿って前記一対の第１直線部それぞれの中央に設けられ、かつ前記第２直線部に近づくのにしたがって前記第１直線部からの突出量が徐々に減少して、前記嵌合部が前記孔に嵌合すると前記第１直線部が窪むことを許容して外縁が直線状となるとともに、前記第２突出部は、前記一対の第１直線部が互いに間隔をあける方向に沿って前記一対の第２直線部それぞれの中央に設けられ、かつ前記第１直線部に近づくのにしたがって前記第２直線部からの突出量が徐々に減少して、前記嵌合部が前記孔に嵌合すると前記第２直線部が窪むことを許容して外縁が直線状となることを特徴としている。
【００１８】
請求項１に記載したグロメットによれば、直線部から外方向に突出した突出部を備えている。このため、パネルに取り付けられた際に生じるひずみを、前記突出部が支えることとなる。また、前記突出部と直線部とを合わせた厚みが厚くなるので、前記パネルに取り付けられた際に、前記直線部が撓みにくくなる。
【００１９】
また、突出部が直線部から外方向に突出しているので、リップの変形のしやすさに何ら影響を与えない。
【００２０】
円弧部に近づくのにしたがって突出部の直線部からの突出量が徐々に減少している。また、突出部が直線部の中央に設けられている。このため、突出部と直線部とを合わせた厚みが、前記直線部の中央で最も厚くなっている。したがって、前記パネルに取り付けられた際に、前記直線部がより撓みにくくなる。
【００２１】
請求項２に記載した本発明のグロメットによれば、第１直線部から外方向に突出した第１突出部を備えている。このため、パネルに取り付けられた際に生じるひずみを、前記第１突出部が支えることとなる。また、前記第１突出部と第１直線部とを合わせた厚みが厚くなるので、前記パネルに取り付けられた際に、前記第１直線部が撓みにくくなる。
【００２２】
また、第１突出部が第１直線部から外方向に突出しているので、リップの変形のしやすさに何ら影響を与えない。
【００２３】
第２直線部に近づくのにしたがって第１突出部の第１直線部からの突出量が徐々に減少している。また、第１突出部が第１直線部の中央に設けられている。このため、第１突出部と第１直線部とを合わせた厚みが、前記第１直線部の中央で最も厚くなっている。したがって、前記パネルに取り付けられた際に、前記第１直線部がより撓みにくくなる。
【００２４】
請求項３に記載した本発明のグロメットによれば、第２直線部から外方向に突出した第２突出部を備えている。このため、パネルに取り付けられた際に生じるひずみを、前記第２突出部が支えることとなる。また、前記第２突出部と第２直線部とを合わせた厚みが厚くなるので、前記パネルに取り付けられた際に、前記第２直線部が撓みにくくなる。
【００２５】
また、第２突出部が第２直線部から外方向に突出しているので、リップの変形のしやすさに何ら影響を与えない。
【００２６】
第１直線部に近づくのにしたがって第２突出部の第２直線部からの突出量が徐々に減少している。また、第２突出部が第２直線部の中央に設けられている。このため、第２突出部と第２直線部とを合わせた厚みが、前記第２直線部の中央で最も厚くなっている。したがって、前記パネルに取り付けられた際に、前記第２直線部がより撓みにくくなる。
【００２７】
請求項４に記載した本発明のグロメットによれば、第１直線部から外方向に突出した第１突出部と、第２直線部から外方向に突出した第２突出部と、を備えている。このため、パネルに取り付けられた際に生じるひずみを、前記第１突出部と第２突出部が支えることとなる。また、前記第１突出部と第１直線部とを合わせた厚みと、第２突出部と第２直線部とを合わせた厚みとがそれぞれ厚くなるので、前記パネルに取り付けられた際に、前記第１直線部及び第２直線部が撓みにくくなる。
【００２８】
また、第１突出部が第１直線部から外方向に突出しているとともに、第２突出部が第２直線部から外方向に突出しているので、リップの変形のしやすさに何ら影響を与えない。
【００２９】
第１突出部と第１直線部とを合わせた厚みが、前記第１直線部の中央で最も厚くなっている。第２突出部と第２直線部とを合わせた厚みが、前記第２直線部の中央で最も厚くなっている。したがって、前記パネルに取り付けられた際に、前記第１直線部と前記第２直線部とがより撓みにくくなる。
【００３０】
【発明の実施の形態】
以下、本発明の第１の実施形態にかかるグロメットを、図１ないし図４を参照して説明する。本発明の第１の実施形態にかかるグロメット１（図１ないし図４に示す）は、車両としての自動車などの車体を構成するパネル２（図３に示す）に設けられた孔３（図３中に点線で示す）に取り付けられる。グロメット１は、筒状に形成されているとともに、内側に前記自動車に配索されるワイヤハーネスを通す。グロメット１は、前記ワイヤハーネスに水などの水分が付着することを防止する。図３に示す場合では、前記孔３は、平面形状がほぼ小判状の長孔形状に形成されている。
【００３１】
グロメット１は、弾性変形自在なゴムなどからなる。グロメット１は、図１に示すように、筒状に形成されたグロメット本体４と、嵌合部５（図２に示す）と、フランジ部６と、リップ７（図２に示す）と、突出部１０と、を一体に備えている。グロメット本体４は、内側にワイヤハーネスを通す。嵌合部５は、グロメット本体４の端に設けられており、図４に示すように、前記孔３に嵌合する。嵌合部５は、前記グロメット本体４から離れるのにしたがって段階的に内外径が変化する筒状に形成されている。嵌合部５は、グロメット本体４即ち後述する空間Ｋと連通している（連なっている）。
【００３２】
フランジ部６は、前記嵌合部５が設けられたグロメット本体４の端部に設けられている。フランジ部６は、グロメット本体４の端部から該グロメット本体４の外周方向に向かって突出している。フランジ部６は、一対の直線部８と、一対の円弧部９と、を一体に備えている。
【００３３】
一対の直線部８は、互いに間隔をあけて配されている。一対の直線部８は、互いに平行に配されている。一対の円弧部９は、互いに間隔をあけて配されている。円弧部９それぞれは、両端部が一対の直線部８それぞれと連なっている。このため、円弧部９それぞれは、一対の直線部８を互いに連ねている。
【００３４】
一対の直線部８と一対の円弧部９とが前述したように互いに連なっておりかつこれらの直線部８と円弧部９とがグロメット本体４から外周方向に突出している。このため、フランジ部６は、一対の直線部８と一対の円弧部９とで囲まれる空間Ｋ（図２及び図４に示す）内にワイヤハーネスを通す。また、空間Ｋは、グロメット本体４と連通している。
【００３５】
リップ７は、一対の直線部８と一対の円弧部９の外縁部の全周に亘って設けられている。即ち、リップ７は、フランジ部６の全周に亘って、該フランジ部６の外縁部に設けられている。リップ７は、嵌合部５が孔３に嵌合すると前記パネル２と接触して、その先端部がフランジ部６の外周方向に向かうように、該パネル２により弾性変形される。リップ７は、パネル２との間を液密に保って、嵌合部５及びグロメット本体４の内側即ちグロメット１の内側に水などの液体が侵入することを防止する。
【００３６】
突出部１０は、一対の直線部８それぞれからフランジ部６即ちグロメット１の外周方向（外方向）に向かって突出している。突出部１０は、図１に示すように、一対の円弧部９が互いに相対する方向（間隔をあける方向）に沿って、一対の直線部８それぞれの中央に設けられている。突出部１０は、円弧部９に近づくのにしたがって、直線部８からの突出量が徐々に減少するように形成されている。
【００３７】
突出部１０がフランジ部６の直線部８それぞれから突出しており、リップ７がフランジ部６の外縁部に設けられている。このため、突出部１０は、リップ７の基端側に設けられている。また、突出部１０がフランジ部６の直線部８から突出しているため、フランジ部６の直線部８と突出部１０とを合わせた厚みが円弧部９の厚みより厚くなっている。また、突出部１０が円弧部９に近づくのにしたがって直線部８からの突出量が徐々に減少しているので、フランジ部６の直線部８と突出部１０とを合わせた厚みが直線部８の中央で最も厚くなっている。
【００３８】
本実施形態によれば、一対の直線部８から外方向に突出した突出部１０を備えている。円弧部９に近づくのにしたがって突出部１０の直線部８からの突出量が徐々に減少している。また、突出部１０が直線部８の中央に設けられている。突出部１０と直線部８とを合わせた厚みが、前記直線部８の中央で最も厚くなっている。
【００３９】
このため、嵌合部５が孔３に嵌合してパネル２に取り付けられた際に生じるひずみを、前記突出部１０が支えることとなる。また、前記突出部１０と直線部８とを合わせた厚みが厚くなるので、前記直線部８が撓みにくくなる。このため、前記パネル２に取り付けられた際に、図３に示すように、直線部８と突出部１０とが、弾性変形しても、一対の円弧部９が互いに間隔をあける方向に沿った直線となる。したがって、グロメット１は、前記パネル２に取り付けられた際に、美観を損なうことを防止できる。
【００４０】
また、パネル２に取り付けられた際に生じるひずみを、前記突出部１０と直線部８が支えることとなる。このため、前記パネル２に取り付けられた際に、リップ７が前記ひずみの影響を受けて変形することを防止できる。したがって、リップ７は、前記パネル２との間を確実に液密に保つことができる。
【００４１】
さらに、突出部１０が一対の直線部８から外方向に突出しており、リップ７の基端側に配されている。このため、突出部１０が、リップ７の変形のしやすさに何ら影響を与えない。したがって、グロメット１は、前記パネル２に取り付けにくくならない。
【００４２】
次に、本発明の第２の実施形態にかかるグロメットを図５ないし図８を参照して説明する。なお、前述した第１の実施形態と同一構成部分には、同一符号を付して説明を省略する。本実施形態では、パネル２に設けられた孔３は、平面形状が略矩形状に形成されている。孔３は、四隅が円弧状に形成されている。
【００４３】
本実施形態にかかるグロメット１のフランジ部６は、図５に示すように、一対の第１直線部１１と、一対の第２直線部１２と、を一体に備えている。また、グロメット１は、第１突出部２１と、第２突出部２２とを備えている。
【００４４】
一対の第１直線部１１は、互いに間隔をあけて配されている。一対の第１直線部１１は、互いに平行に配されている。一対の第２直線部１２は、互いに間隔をあけて配されている。一対の第２直線部１２は、互いに平行に配されている。第２直線部１２それぞれは、両端部が一対の第１直線部１１それぞれと連なっている。このため、第２直線部１２それぞれは、一対の第１直線部１１を互いに連ねている。
【００４５】
これらの第１直線部１１と第２直線部１２とが互いに連なっておりかつこれらの直線部１１，１２がグロメット本体４から外周方向に突出している。このため、フランジ部６は、直線部１１，１２で囲まれる空間Ｋ（図６及び図８に示す）内にワイヤハーネスを通す。また、空間Ｋは、グロメット本体４と連通している。さらに、第１直線部１１と第２直線部１２とは、互いに直交している。第１直線部１１と第２直線部１２とが連なるフランジ部６の隅は、円弧状に形成されている。
【００４６】
第１突出部２１は、一対の第１直線部１１それぞれからフランジ部６即ちグロメット１の外周方向（外方向）に向かって突出している。第１突出部２１は、図５に示すように、一対の第２直線部１２が互いに相対する方向（間隔をあける方向）に沿って、一対の第１直線部１１それぞれの中央に設けられている。第１突出部２１は、第２直線部１２に近づくのにしたがって、第１直線部１１からの突出量が徐々に減少するように形成されている。
【００４７】
第２突出部２２は、一対の第２直線部１２それぞれからフランジ部６即ちグロメット１の外周方向（外方向）に向かって突出している。第２突出部２２は、図５に示すように、一対の第１直線部１１が互いに相対する方向（間隔をあける方向）に沿って、一対の第２直線部１２それぞれの中央に設けられている。第２突出部２２は、第１直線部１１に近づくのにしたがって、第２直線部１２からの突出量が徐々に減少するように形成されている。
【００４８】
リップ７は、一対の第１直線部１１と一対の第２直線部１２の外縁部の全周に亘って設けられている。即ち、リップ７は、フランジ部６の外縁部の全周に亘って設けられている。突出部２１，２２が直線部１１，１２それぞれから突出しており、リップ７がフランジ部６の外縁部に設けられている。このため、突出部２１，２２は、リップ７の基端側に設けられている。また、突出部２１，２２が直線部１１，１２から突出しているため、これら突出部２１，２２と直線部１１，１２とを合わせた厚みが厚くなっている。また、突出部２１，２２が直線部１２，１１に近づくのにしたがって直線部１１，１２からの突出量が徐々に減少しているので、突出部２１，２２と直線部１１，１２とを合わせた厚みが、直線部１１，１２の中央で最も厚くなっている。
【００４９】
本実施形態によれば、一対の第１直線部１１から外方向に突出した第１突出部２１を備えている。第２直線部１２に近づくのにしたがって第１突出部２１の第１直線部１１からの突出量が徐々に減少している。また、第１突出部２１が第１直線部１１の中央に設けられている。第１突出部２１と第１直線部１１とを合わせた厚みが、前記第１直線部１１の中央で最も厚くなっている。
【００５０】
また、一対の第２直線部１２から外方向に突出した第２突出部２２を備えている。第１直線部１１に近づくのにしたがって第２突出部２２の第２直線部１２からの突出量が徐々に減少している。また、第２突出部２２が第２直線部１２の中央に設けられている。第２突出部２２と第２直線部１２とを合わせた厚みが、前記第２直線部１２の中央で最も厚くなっている。
【００５１】
このため、嵌合部５が孔３に嵌合してパネル２に取り付けられた際に生じるひずみを、前記突出部２１，２２が支えることとなる。また、前記突出部２１，２２と直線部１１，１２とを合わせた厚みが厚くなるので、前記直線部１１，１２が撓みにくくなる。このため、前記パネル２に取り付けられた際に、図７に示すように、第１直線部１１と第１突出部２１とが弾性変形しても、これらの第１直線部１１と第１突出部２１とが一対の第２直線部１２が互いに間隔をあける方向に沿った直線となる。
【００５２】
また、前記パネル２に取り付けられた際に、図７に示すように、第２直線部１２と第２突出部２２とが弾性変形しても、これらの第２直線部１２と第２突出部２２とが一対の第１直線部１１が互いに間隔をあける方向に沿った直線となる。したがって、グロメット１は、前記パネル２に取り付けられた際に、美観を損なうことを防止できる。
【００５３】
また、パネル２に取り付けられた際に生じるひずみを、前記突出部２１，２２と直線部１１，１２が支えることとなる。このため、前記パネル２に取り付けられた際に、リップ７が前記ひずみの影響を受けて変形することを防止できる。したがって、リップ７は、前記パネル２との間を確実に液密に保つことができる。
【００５４】
さらに、突出部２１，２２が直線部１１，１２から外方向に突出しており、リップ７の基端側に配されている。このため、突出部２１，２２がリップ７の変形のしやすさに何ら影響を与えない。したがって、グロメット１は、前記パネル２に取り付けにくくならない。
【００５５】
なお、前述した第２の実施形態のグロメット１は、第１直線部１１から突出した第１突出部２１と、第２直線部１２から突出した第２突出部２２と、の双方を備えている。しかしながら、本発明では、前記第１突出部２１と第２突出部２２とのうち少なくとも一方を備えていればよい。即ち、第１突出部２１のみ備えていても良く、第２突出部２２のみ備えていても良く、第１及び第２突出部２１，２２の双方を備えていても良い。
【００５６】
これらの場合でも、前述した第２の実施形態のように、直線部１１，１２などが窪むことを防止でき、美観を損ねることを防止できる。また、リップ７の変形を抑制して、防水性を低下させない。さらに、パネル２に取り付けにくくならない。
【００５７】
【発明の効果】
以上説明したように、請求項１に記載の本発明は、直線部から外方向に突出した突出部を備えている。このため、パネルに取り付けられた際に生じるひずみを、前記突出部が支えることとなる。また、前記突出部と直線部とを合わせた厚みが厚くなるので、前記パネルに取り付けられた際に、前記直線部が撓みにくくなる。このため、前記パネルに取り付けられた際に、直線部と突出部とが弾性変形しても、一対の円弧部が互いに間隔をあける方向に沿った直線となる。したがって、前記パネルに取り付けられた際に、美観を損なうことを防止できる。
【００５８】
また、パネルに取り付けられた際に生じるひずみを、前記突出部が支えることとなる。このため、前記パネルに取り付けられた際に、リップが前記ひずみの影響を受けて変形することを防止できる。したがって、リップは、前記パネルとの間を確実に液密に保つことができる。
【００５９】
さらに、突出部が直線部から外方向に突出しているので、リップの変形のしやすさに何ら影響を与えない。したがって、前記パネルに取り付けにくくならない。
【００６０】
円弧部に近づくのにしたがって突出部の直線部からの突出量が徐々に減少している。また、突出部が直線部の中央に設けられている。このため、突出部と直線部とを合わせた厚みが、前記直線部の中央で最も厚くなっている。したがって、前記パネルに取り付けられた際に、前記直線部がより撓みにくくなる。このため、直線部と突出部とが弾性変形しても、一対の円弧部が互いに間隔をあける方向に沿った直線となる。したがって、前記パネルに取り付けられた際に、美観を損なうことをより確実に防止できる。
【００６１】
請求項２に記載の本発明は、第１直線部から外方向に向かって突出した第１突出部を備えている。このため、パネルに取り付けられた際に生じるひずみを、前記第１突出部が支えることとなる。また、前記第１突出部と第１直線部とを合わせた厚みが厚くなるので、前記パネルに取り付けられた際に、前記第１直線部が撓みにくくなる。第１直線部と第１突出部とが弾性変形しても、一対の第２直線部が互いに間隔をあける方向に沿った直線となる。したがって、前記パネルに取り付けられた際に、美観を損なうことを防止できる。
【００６２】
また、パネルに取り付けられた際に生じるひずみを、前記第１突出部が支えることとなる。このため、前記パネルに取り付けられた際に、リップが前記ひずみの影響を受けて変形することを防止できる。したがって、リップは、前記パネルとの間を確実に液密に保つことができる。
【００６３】
さらに、第１突出部が第１直線部から外方向に突出しているので、リップの変形のしやすさに何ら影響を与えない。したがって、前記パネルに取り付けにくくならない。
【００６４】
第２直線部に近づくのにしたがって第１突出部の第１直線部からの突出量が徐々に減少している。また、第１突出部が第１直線部の中央に設けられている。このため、第１突出部と第１直線部とを合わせた厚みが、前記第１直線部の中央で最も厚くなっている。したがって、前記パネルに取り付けられた際に、前記第１直線部がより撓みにくくなる。このため、第１直線部と第１突出部とが弾性変形しても、一対の第２直線部が互いに間隔をあける方向に沿った直線となる。したがって、前記パネルに取り付けられた際に、美観を損なうことをより確実に防止できる。
【００６５】
請求項３に記載の本発明は、第２直線部から外方向に突出した第２突出部を備えている。このため、パネルに取り付けられた際に生じるひずみを、前記第２突出部が支えることとなる。また、前記第２突出部と第２直線部とを合わせた厚みが厚くなるので、前記パネルに取り付けられた際に、前記第２直線部が撓みにくくなる。このため、第２直線部と第２突出部とが弾性変形しても、一対の第１直線部が互いに間隔をあける方向に沿った直線となる。したがって、前記パネルに取り付けられた際に、美観を損なうことを防止できる。
【００６６】
また、パネルに取り付けられた際に生じるひずみを、前記第２突出部が支えることとなる。このため、前記パネルに取り付けられた際に、リップが前記ひずみの影響を受けて変形することを防止できる。したがって、リップは、前記パネルとの間を確実に液密に保つことができる。
【００６７】
また、第２突出部が第２直線部から外方向に突出しているので、リップの変形のしやすさに何ら影響を与えない。したがって、前記パネルに取り付けにくくならない。
【００６８】
第１直線部に近づくのにしたがって第２突出部の第２直線部からの突出量が徐々に減少している。また、第２突出部が第２直線部の中央に設けられている。このため、第２突出部と第２直線部とを合わせた厚みが、前記第２直線部の中央で最も厚くなっている。したがって、前記パネルに取り付けられた際に、前記第２直線部がより撓みにくくなる。このため、第２直線部と第２突出部とが弾性変形しても、一対の第１直線部が互いに間隔をあける方向に沿った直線となる。したがって、前記パネルに取り付けられた際に、美観を損なうことをより確実に防止できる。
【００６９】
請求項４に記載の本発明は、第１直線部から外方向に突出した第１突出部と、第２直線部から外方向に突出した第２突出部と、を備えている。このため、パネルに取り付けられた際に生じるひずみを、前記第１突出部と第２突出部が支えることとなる。また、前記第１突出部と第１直線部とを合わせた厚みと、第２突出部と第２直線部とを合わせた厚みとがそれぞれ厚くなるので、前記パネルに取り付けられた際に、前記第１直線部及び第２直線部が撓みにくくなる。このため、弾性変形しても、第１直線部及び第１突出部と第２直線部及び第２突出部とが、それぞれ、直線となる。したがって、前記パネルに取り付けられた際に、美観を損なうことを防止できる。
【００７０】
また、パネルに取り付けられた際に生じるひずみを、前記第１突出部と第２突出部が支えることとなる。このため、前記パネルに取り付けられた際に、リップが前記ひずみの影響を受けて変形することを防止できる。したがって、リップは、前記パネルとの間を確実に液密に保つことができる。
【００７１】
さらに、第１突出部が第１直線部から外方向に突出しているとともに、第２突出部が第２直線部から外方向に突出しているので、リップの変形のしやすさに何ら影響を与えない。したがって、リップは、前記パネルとの間を確実に液密に保つことができる。
【００７２】
第１突出部と第１直線部とを合わせた厚みが、前記第１直線部の中央で最も厚くなっている。第２突出部と第２直線部とを合わせた厚みが、前記第２直線部の中央で最も厚くなっている。したがって、前記パネルに取り付けられた際に、前記第１直線部と前記第２直線部とがより撓みにくくなる。このため、弾性変形しても、第１直線部及び第１突出部と第２直線部及び第２突出部とが、それぞれ、直線となる。したがって、前記パネルに取り付けられた際に、美観を損なうことをより確実に防止できる。
【図面の簡単な説明】
【図１】本発明の第１の実施形態にかかるグロメットの要部を示す平面図である。
【図２】図１中のＩＩ−ＩＩ線に沿う断面図である。
【図３】図１に示されたグロメットがパネルに取り付けられた状態を示す平面図である。
【図４】図３中のＩＶ−ＩＶ線に沿う断面図である。
【図５】本発明の第２の実施形態にかかるグロメットの要部を示す平面図である。
【図６】図５中のＶＩ−ＶＩ線に沿う断面図である。
【図７】図５に示されたグロメットがパネルに取り付けられた状態を示す平面図である。
【図８】図７中のＶＩＩＩ−ＶＩＩＩ線に沿う断面図である。
【図９】従来のグロメットの要部を示す平面図である。
【図１０】図９中のＸ−Ｘ線に沿う断面図である。
【図１１】図９に示されたグロメットがパネルに取り付けられた状態を示す平面図である。
【図１２】図１１中のＸＩＩ−ＸＩＩ線に沿う断面図である。
【符号の説明】
１  グロメット
２  パネル
３  孔
５  嵌合部
７  リップ
８  直線部
９  円弧部
１０  突出部
１１  第１直線部
１２  第２直線部
２１  第１突出部
２２  第２突出部
Ｋ  空間
【図１】
0003943858.tif 000002
【図２】
0003943858.tif 000003
【図３】
0003943858.tif 000004
【図４】
0003943858.tif 000005
【図５】
0003943858.tif 000006
【図６】
0003943858.tif 000007
【図７】
0003943858.tif 000008
【図８】
0003943858.tif 000009
【図９】
0003943858.tif 000010
【図１０】
0003943858.tif 000011
【図１１】
0003943858.tif 000012
【図１２】
0003943858.tif 000013